(57)【要約】【課題】  足指の動きを阻害することなく、フィット性を向上でき、しかもアッパー構造を簡略化できるスポーツシューズ用インソールを提供する。【解決手段】  スポーツシューズ用インソール１において、前足領域Ｆから中足領域Ｍをへて踵領域Ｈにかけて前後方向に延設されたソール部２と、ソール部２に連設され、着用者の足首から足指の付根にかけて延在する領域である足甲領域を覆うように内甲側から外甲側にかけて延設された足甲部３とを設ける。インソール１がシューズに装着されたとき、インソール１の足甲部３がシューズの舌革部に相当する領域をカバーしている。【選択図】  図５
2015188720.tif 000002
【特許請求の範囲】
【請求項１】
スポーツシューズ用インソールであって、
着用者の足の前足領域から踵領域にかけて延設されたソール部と、
前記ソール部に連設され、着用者の足首から足指の付根にかけて延在する領域である足甲領域を覆うように内甲側から外甲側にかけて延びる足甲部と、
を備えたスポーツシューズ用インソール。
【請求項２】
請求項１において、
前記足甲部が、スポーツシューズの舌革部に相当する領域をカバーしている、
ことを特徴とするスポーツシューズ用インソール。
【請求項３】
請求項１において、
前記足甲部が、足の舟状骨および立方骨を側方から覆うように配設されている、
ことを特徴とするスポーツシューズ用インソール。
【請求項４】
請求項１において、
前記足甲部が、足甲領域の内甲側に配置され前記ソール部に連設される内甲側部と、足甲領域の外甲側に配置され前記ソール部に連設される外甲側部とから構成されており、これら内甲側部および外甲側部が一体に形成されている、
ことを特徴とするスポーツシューズ用インソール。
【請求項５】
請求項１において、
前記足甲部が、足甲領域の内甲側に配置され前記ソール部に連設される内甲側部と、足甲領域の外甲側に配置され前記ソール部に連設される外甲側部とから構成され、これら内甲側部および外甲側部が一体に形成されることなく分断して設けられるとともに、前記内甲側部および前記外甲側部のそれぞれの先端縁部が係脱自在に設けられている、
ことを特徴とするスポーツシューズ用インソール。
【請求項６】
請求項１に記載のインソールを備えたスポーツシューズであって、
当該シューズの内部に前記インソールが着脱自在に設けられるとともに、当該シューズが舌革部を有していない、
ことを特徴とするスポーツシューズ。
【発明の詳細な説明】
【技術分野】
【０００１】
本発明は、スポーツシューズのためのインソール（中敷）に関し、詳細には、足指の動きを阻害することなくフィット性を向上させるとともに、スポーツシューズのアッパー構造を簡略化するためのインソール構造の改良に関する。
【背景技術】
【０００２】
実用新案登録第３０８４８３３号公報には、使用者の足が載置される底部と、底部の前側に設けられ足の爪先部分を覆う覆部とから構成されたインソールが開示されており（同公報の段落［００１２］ならびに図１および図３参照）、当該公報の段落［０００６］には、覆部が一般的なスリッパの甲被布のように使用者の爪先部分及び足の甲を完全に覆う状態のものであってもよい、と記載されている。
【０００３】
また、当該公報の段落［０００７］および［００１５］には、インソールの底部および覆部をいずれも立体メッシュシート素材から構成することで、使用者の足裏とインソールの底部との間、および足のつま先部と覆部との間に常に隙間が形成されて、通気性が確保されると記載されている。
【発明の概要】
【発明が解決しようとする課題】
【０００４】
しかしながら、上記公報に記載のものでは、使用者の爪先部分が常時覆部によって覆われているため、歩行時や走行時等の運動時に足指のスムーズな動きを阻害する恐れがある。また、覆部が足の爪先部分を覆っていることで、運動時に爪先部分の足指が動いたとき、その動きが覆部の爪先領域から足甲領域まで伝播して足甲領域を変形させ、その結果、覆部の足甲に対するフィット性が低下する恐れがある。
【０００５】
本発明は、このような従来の実情に鑑みてなされたもので、本発明が解決しようとする課題は、足指の動きを阻害することなく、フィット性を向上でき、しかも、スポーツシューズのアッパー構造を簡略化できるスポーツシューズ用インソールを提供することにある。
【課題を解決するための手段】
【０００６】
本発明に係るスポーツシューズ用インソールは、着用者の足の前足領域から踵領域にかけて延設されたソール部と、ソール部に連設され、着用者の足首から足指の付根にかけて延在する領域である足甲領域を覆うように内甲側から外甲側にかけて延びる足甲部とを備えている（請求項１参照）。
【０００７】
本発明においては、ソール部に連設された足甲部が着用者の足甲領域を覆うように内甲側から外甲側にかけて延びている。すなわち、足甲部は、足のつま先部を覆ってはおらず、これにより、歩行時や走行時等の運動時において、足甲部が着用者の足指のスムーズな動きを阻害するのを回避できる。また、足指の動きが足甲部まで伝播することがないので、運動時に着用者の足甲領域に対する足甲部のフィット性を向上できる。さらに、足甲部が着用者の足甲領域を覆っているので、当該インソールが設けられるスポーツシューズのアッパーの舌革部を不要にできる。これにより、アッパーを軽量化できるとともに、アッパー全体の構造を簡略化できる。
【０００８】
本発明では、足甲部が、スポーツシューズの舌革部に相当する相当する領域をカバーしている（請求項２参照）。
【０００９】
本発明によれば、当該インソールが設けられるスポーツシューズのアッパーの舌革部を不要にできるので、アッパーを軽量化できるとともに、アッパー全体の構造を簡略化でき、これにより、アッパーの製造工程を簡略化してアッパーの製造コストを低減できる。
【００１０】
本発明では、足甲部が、足の舟状骨および立方骨を側方から覆うように配設されている（請求項３参照）。
【００１１】
本発明では、足甲部が、足甲領域の内甲側に配置されソール部に連設される内甲側部と、足甲領域の外甲側に配置されソール部に連設される外甲側部とから構成されており、これら内甲側部および外甲側部が一体に形成されている（請求項４参照）。
【００１２】
本発明によれば、足甲部全体を一体成形できるので、インソールの構造を簡略化できる。
【００１３】
本発明では、足甲部が、足甲領域の内甲側に配置されソール部に連設される内甲側部と、足甲領域の外甲側に配置されソール部に連設される外甲側部とから構成され、これら内甲側部および外甲側部が一体に形成されることなく分断して設けられるとともに、内甲側部および外甲側部のそれぞれの先端縁部が係脱自在に設けられている（請求項５参照）。
【００１４】
本発明によれば、足甲部を構成する内甲側部および外甲側部の各々の先端縁部のオーバラップ量を調整することが可能になって、着用者の足甲領域に対する足甲部のフィット性を調整できるようになる。
【００１５】
本発明に係るスポーツシューズは、当該シューズの内部に本発明のインソールが着脱自在に設けられるとともに、当該シューズが舌革部を有していない（請求項６参照）。
【００１６】
本発明によれば、インソールの足甲部が着用者の足甲領域を覆っていることで、足甲部がシューズの舌革部の機能を発揮するので、舌革部のないシューズに適用することができ、これにより、アッパーを軽量化できるとともに、アッパー全体の構造を簡略化でき、これにより、アッパーの製造工程を簡略化してアッパーの製造コストを低減できる。
【発明の効果】
【００１７】
以上のように、本発明によれば、ソール部に連設された足甲部が着用者の足甲領域を覆うように内甲側から外甲側にかけて延びており、足甲部が足のつま先部を覆ってはいないので、歩行時や走行時等の運動時に足甲部が着用者の足指のスムーズな動きを阻害するのを回避できる。また、足指の動きが足甲部まで伝播することがないので、運動時に着用者の足甲領域に対する足甲部のフィット性を向上できる。さらに、足甲部が着用者の足甲領域を覆っているので、当該インソールが設けられるスポーツシューズのアッパーの舌革部を不要にでき、これにより、アッパーを軽量化できるとともに、アッパー全体の構造を簡略化できる。
【図面の簡単な説明】
【００１８】
【図１】本発明の一実施例によるスポーツシューズ用インソールの平面概略図である。
【図２】前記インソール（図１）の内甲側側面概略図である。
【図３】前記インソール（図１）の外甲側側面概略図である。
【図４】前記インソール（図１）と足の骨格構造との位置関係を示す平面概略図である。
【図５】前記インソール（図２）と足の骨格構造との位置関係を示す内甲側側面概略図である。
【図６】前記インソール（図３）と足の骨格構造との位置関係を示す外甲側側面概図である。
【図７】前記インソールが適用されるスポーツシューズの一例を示す平面概略図である。
【図８】前記インソールが適用されるスポーツシューズの一例を示す内甲側側面概略図である。
【図９】前記インソールが適用されるスポーツシューズの一例を示す外甲側側面概略図である。
【図１０】前記インソールを前記スポーツシューズ（図７）に装着した状態を示す平面概略図である。
【図１１】前記インソールを前記スポーツシューズ（図８）に装着した状態を示す甲側側面概略図である。
【図１２】前記インソールを前記スポーツシューズ（図９）に装着した状態を示す外甲側側面概略図である。
【図１３】本発明の第１の変形例によるスポーツシューズ用インソールの内甲側側面概略図である。
【図１４】前記インソール（図１３）の外甲側側面概略図である。
【図１５】本発明の第２の変形例によるスポーツシューズ用インソールの内甲側側面概略図である。
【図１６】前記インソール（図１５）の外甲側側面概略図である。
【図１７】本発明の第３の変形例によるスポーツシューズ用インソールの平面概略図である。
【図１８】前記インソール（図１７）の内甲側側面概略図である。
【図１９】本発明の第４の変形例によるスポーツシューズ用インソールと足の骨格構造との位置関係を示す内甲側側面概略図である。
【図２０】前記インソール（図１９）と足の骨格構造との位置関係を示す外甲側側面概図である。
【図２１】本発明の第５の変形例によるスポーツシューズ用インソールの展開状態の平面概略図である。
【発明を実施するための形態】
【００１９】
以下、本発明の実施例を添付図面に基づいて説明する。
図１ないし図６は本発明の一実施例によるスポーツシューズ用インソールを示し、図７ないし図９は本インソールが適用されるスポーツシューズを示し、図１０ないし図１２は本インソールがスポーツシューズに装着された状態を示している。スポーツシューズとしては、ランニングシューズやウォーキングシューズの他、各種スポーツシューズが含まれる。
【００２０】
図１ないし図６に示すように、本実施例によるインソール１は、着用者の足Ｐを下方から支持するソール部２と、着用者の足甲領域を覆うように延設されるとともに、ソール部２に連設され、着用者の足Ｐが挿入し得る内部空間をソール部２との間で形成する足甲部３とを有している。
【００２１】
ソール部２は、着用者の足Ｐの前足領域、中足領域および踵領域にそれぞれ対応する前足領域Ｆ、中足領域Ｍおよび踵領域Ｈを有しており、当該前足領域Ｆから中足領域Ｍをへて踵領域Ｈまで前後方向に延設されている。ソール部２は、着用者の足裏が当接する足裏当接面２ａと、その逆側に配置され、当該インソール１をシューズ内部に着用したときに、シューズ内部の面（例えば中底上面）に当接する底面２ｂとを有している。
【００２２】
足甲部３は、前足領域Ｆに配置されかつ内甲側から外甲側にかけて延設された前側縁部３０と、踵領域Ｈから中足領域Ｍにかけての領域に配置されかつ内甲側から外甲側にかけて足Ｐの足甲領域上部を巻回しつつ延設された後側縁部３１とを有しており、ソール部２との間で前後方向に延びる筒状の内部空間を提供している。足甲部３は、前側縁部３０において開口する前側開口と、後側縁部３１において開口する後側開口とを有している。
【００２３】
足甲部３は、着用者の足甲領域を覆っているが、ここで、足甲領域とは、足首から足指（第１〜５足指のうちのいずれかの足指）の付根にかけて延在する領域である（図４ないし図６参照）。したがって、足甲部３は、足Ｐのつま先部を覆ってはおらず、各足指は足甲部３の前側開口から前方に露出している。また、足甲部３は、シューズの舌革部（タン）に相当する領域をカバーしている（図１０ないし図１３参照。これについては後述）。
【００２４】
足甲部３の頂上部を前後方向に結んでできる稜線３ａは、着用者の足Ｐの足甲領域の稜線Ｐａに沿って延びている（図５および図６参照）。稜線３ａは、好ましくは、図示されるような側面視凹状曲線で形成されている。これは、足Ｐの足甲領域を効果的に保持して、足甲領域に対するフィット感をより向上できるようにするためである。
【００２５】
足甲部３の前側縁部３０が稜線３ａと交差する略中央の部位３０ａは、前側縁部３０において最も前側に配置されており（図１ないし図３参照）、前側縁部３０がソール部２の足裏当接面２ａと交差する内甲側の部位３０ｂおよび外甲側の部位３０ｃは、いずれも部位３０ａより後方に配置されている。同様に、足甲部３の後側縁部３１が稜線３ａと交差する略中央の部位３１ａは、後側縁部３１において最も前側に配置されており（図１ないし図３参照）、後側縁部３１がソール部２の足裏当接面２ａと交差する内甲側の部位３１ｂおよび外甲側の部位３１ｃは、いずれも部位３１ａより後方に配置されている。
【００２６】
足甲部３の後側縁部３１は、側面方向から見ると、稜線３ａと概略直交している（図２および図３参照）。これは、静止時のみならず運動時においても、後側縁部３１が弛むことなく、足Ｐの足甲領域を効果的に保持できるようにするためである。
【００２７】
足甲部３は、内甲側に開孔３２を有し、外甲側に開孔３３を有している。これらの開孔３２、３３は、主に軽量化のために設けられており、これらの開孔３２、３３は必須ではない。足甲部３は、内甲側においては、前側帯状部３ｂおよび後側帯状部３ｃを介してソール部２に連設されており、外甲側においては、前側帯状部３ｄおよび後側帯状部３ｅを介してソール部２に連設されている。すなわち、この場合、開孔３２、３３が形成されていることで、足甲部３のソール部２に対する連設領域は、足甲領域の前後方向の一部に設けられている。なお、開孔３２、３３が形成されていない場合には、足甲部３のソール部２に対する連設領域は、足甲領域の全長にわたって前後方向に延設されることになる。
【００２８】
足甲部３の内甲側における前側帯状部３ｂのソール部２に対する連設位置は、足Ｐの第１足指基節骨ＰＰ１の側方に配置されており（図４および図５参照）、外甲側における前側帯状部３ｄのソール部２に対する連設位置は、足Ｐの第５足指基節骨ＰＰ５の側方に配置されている（図４参照）。また、別の言い方をすれば、内甲側における前側帯状部３ｂのソール部２に対する連設位置は、足Ｐの拇指球部ＴＥの概ね側方（したがって第１中足趾節関節ＭＰ１の概ね側方）に配置されており、外甲側における前側帯状部３ｄのソール部２に対する連設位置は、足Ｐの子指球部ＨＥの概ね側方（したがって第５中足趾節関節ＭＰ５の概ね側方）に配置されている。
【００２９】
足甲部３の内甲側における後側帯状部３ｃのソール部２に対する連設位置は、足Ｐの舟状骨ＮＡの後方に配置されており（図５参照）、外甲側における後側帯状部３ｅのソール部２に対する連設位置は、足Ｐの立方骨ＣＵの後方に配置されている（図６参照）。後側帯状部３ｃは、足Ｐの舟状骨ＮＡを側方から覆うように配設されており（図５参照）、後側帯状部３ｅは、足Ｐの立方骨ＣＵを側方から覆うように配設されている（図６参照）。このように、各帯状部３ｃ、３ｅにより舟状骨ＮＡおよび立方骨ＣＵを保持するようにしたのは、これらの骨が運動時にぶれにくいためであり、運動時にぶれにくい骨を保持することで運動時に足がソール部２に対してずれるのを防止でき、足を安定して保持できるようになる。
【００３０】
ソール部２および足甲部３は、例えば軟質弾性部材から構成されており、具体的には、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。ソール部２および足甲部３は、好ましくは、樹脂やラバー素材等により一体成形されている。
【００３１】
次に、図７ないし図９は、本実施例によるインソール１が適用されるスポーツシューズの一例を示している。スポーツシューズ４は、前足領域Ｆから中足領域Ｍをへて踵領域Ｈまで前後方向に延設されかつ内甲側から外甲側にかけて延在する、着用者の足を覆うアッパー（甲被部）４０と、アッパー４０の底面に固着されたアウトソール４１とを有している。
【００３２】
アッパー４０は、足甲領域において前後方向に延びる開口４０ａを有しており、当該開口４０ａはスポーツシューズ４の履き口４０ｂに連通している。開口４０ａの左右の縁部には、靴紐５を通すための複数の貫通孔４２が形成されている。スポーツシューズ４の緊締部材としては、靴紐に限らず、面ファスナー付きのストラップや金具付きのベルトでもよく、その他の部材であってもよい。
【００３３】
アッパー４０の開口４０ａには、舌革部（タン）が設けられておらず、開口４０ａを通して上から見ると、シューズ内部が見えている。これにより、アッパー全体を軽量化できる。アッパー４０を構成する素材としては、とくに限定されず、一般に使用されている天然皮革や人工皮革、合成皮革、天然繊維、合成繊維等が用いられるが、アッパー４０が舌革部を有していないことでアッパー４０がアッパー単体のみから構成されているので、アッパー４０を複数の皮革パーツや複数の繊維パーツを貼り合わせたり縫製したりして組み立てることなく、合成繊維等を用いて３次元的に一体的に編み上げることにより単一の編地から構成するようにしてもよい。この場合には、アッパー全体をさらに軽量化できる。
【００３４】
本実施例によるインソール１は、スポーツシューズ４の内部に着脱自在に設けられている。図１０ないし図１２は、インソール１がスポーツシューズ４の内部に装着された状態を示している。インソール１は、従来のインソールと同様に、シューズ履き口４０ｂからシューズ内部に挿入される。なお、各図中、インソール１は実線で、スポーツシューズ４は一点鎖線で示されている。
【００３５】
図１０ないし図１２に示すように、インソール１がスポーツシューズ４の内部に装着された状態では、インソール１のソール部２がアッパー４０の底部の上面に載置されるとともに、足甲部３がアッパー４０の内部において足甲領域から履き口４０ｂにかけての領域に収容されている。
【００３６】
このとき、足甲部３の上部領域は、アッパー４０の前後方向の開口４０ａの領域に配置されて、当該開口領域を覆っている。つまり、足甲部３の上部領域は、シューズの舌革部に相当する領域をカバーしている。図１１および図１２に示すように、足甲部３の上部領域は、側方から見ると、開口４０ａの縁部から上方に見えており、シューズの舌革部と同様の位置に配置されている。
【００３７】
次に、本実施例の作用効果について説明する。
上述したように、インソール１はスポーツシューズ４の内部に装着されて用いられるが、シューズ内部に装着したとき、インソール１の足甲部３の上部領域がアッパー４０の開口４０ａの領域を覆っており、シューズの舌革部に相当する領域をカバーしている（図１０ないし図１２参照）。これにより、スポーツシューズ４の舌革部を不要にできるので（図７ないし図９参照）、アッパー４０を軽量化できるとともに、アッパー全体の構造を簡略化でき、その結果、アッパーの製造工程を簡略化してアッパーの製造コストを低減できる。
【００３８】
着用者がスポーツシューズ４を着用したとき、着用者の足Ｐの足甲領域の周りにインソール１の足甲部３が配置されるが、このとき、足甲部３は足Ｐのつま先部を覆っておらず、各足指は足甲部３の前側開口から前方に露出している（図４ないし図６参照）。これにより、歩行時や走行時等の運動時において、足甲部３が着用者の足指のスムーズな動きを阻害するのを回避できる。また、足指の動きが足甲部３まで伝播することがないので、運動時に着用者の足甲領域に対する足甲部３のフィット性を向上できる。
【００３９】
着用者がスポーツシューズ４を着用した後、靴紐５を締め付けると、足Ｐの足甲領域の周りにインソール１の足甲部３が密着するので、足Ｐに対するフィット性を一層向上できる。
【００４０】
なお、インソール１は、ソール部２に加えて足甲部３を備えていることで、インソール単体を簡便なサンダルとして履くことも可能である。
【００４１】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００４２】
＜第１、第２の変形例＞
前記実施例では、足甲部３の前側縁部３０の略中央の部位３０ａが前側縁部３０において最も前側に配置され、前側縁部３０がソール部２の足裏当接面２ａと交差する内甲側の部位３０ｂおよび外甲側の部位３０ｃがいずれも部位３０ａより後方に配置されている例を示したが（図１ないし図３参照）、これらの部位３０ａおよび３０ｂ、３０ｃの前後方向の位置関係は、前記実施例のものと逆でもよいし、あるいは、前後方向にずれることなく前後方向に同じ位置であってもよい。
【００４３】
図１３および図１４は、本発明の第１の変形例によるスポーツシューズ用インソールを示しており、図１３はインソールの内甲側側面概略図、図１４はインソールの外甲側側面概略図である。これらの図に示すように、足甲部３の前側縁部３０の略中央の部位３０ａの位置は前記実施例と同様であるが、前側縁部３０がソール部２の足裏当接面２ａと交差する内甲側の部位３０ｂ’および外甲側の部位３０ｃ’がいずれも部位３０ａより前方に配置されている。なお、各図中、前記実施例における前側縁部３０を一点鎖線で示している。
【００４４】
図１５および図１６は、本発明の第２の変形例によるスポーツシューズ用インソールを示しており、図１５はインソールの内甲側側面概略図、図１６はインソールの外甲側側面概略図である。これらの図に示すように、足甲部３の前側縁部３０の略中央の部位３０ａ’の位置は前記実施例における部位３０ａの位置より後方に配置されるとともに、前側縁部３０がソール部２の足裏当接面２ａと交差する内甲側の部位３０ｂ”および外甲側の部位３０ｃ”がいずれも部位３０ａ’より前方に配置されている。各図中、前記実施例における前側縁部３０は同様に一点鎖線で示されている。
【００４５】
これら第１および第２の変形例のいずれの場合においても、足甲部３が、着用者の足首から第１ないし第５足指のうちのいずれかの足指の付根にかけて延在する領域である足甲領域を覆っており、着用時に着用者の各足指が足甲部３の前側開口から前方に露出するようになっているので、前記実施例と同様の作用効果を奏する。このように、足甲部３の前側縁部３０の略中央の部位３０ａの位置は、足甲部３の前側開口の大きさや形状等に合わせて任意の位置に配置可能である。
【００４６】
＜第３の変形例＞
前記実施例では、足甲部３の後側縁部３１がいわゆるベロ（舌革部の足首側への延設部分）に相当するものを有していない例を示したが、本発明は、図１７および図１８に示すように、後側縁部３１がベロ３４を有しているものにも適用可能である。この場合においても、後側縁部３１が、ソール部２側から稜線３ａに直交する方向に延びている限り（図１８一点鎖線参照）、後側縁部３１によって足Ｐの足甲領域を効果的に保持できるからである。
【００４７】
＜第４の変形例＞
前記実施例では、内甲側における前側帯状部３ｂのソール部２に対する連設位置が足Ｐの拇指球部の概ね側方に配置され、外甲側における前側帯状部３ｄのソール部２に対する連設位置が足Ｐの子指球部の概ね側方に配置されている例を示したが、この第４の変形例では、図１９および図２０に示すように、前記実施例における前側帯状部３ｂをやや幅広に形成して当該前側帯状部３ｂに開孔部３５を形成することで、前側帯状部３ｂを二股状の前側帯状部３ｂ１、３ｂ２から構成するとともに、前記実施例における前側帯状部３ｄを同様にやや幅広に形成して当該前側帯状部３ｄに開孔部３６を形成することで、前側帯状部３ｄを二股状の前側帯状部３ｄ１、３ｄ２から構成している。
【００４８】
開孔部３５は、拇指球部ＴＥの位置、したがって第１中足趾節関節ＭＰ１の位置に対応する位置に配置されている。開孔部３６は、子指球部ＨＥの位置、したがって第５中足趾節関節ＭＰ５の位置に対応する位置に配置されている。
【００４９】
この第４の変形例によれば、運動時に屈曲することが多い中足趾節関節ＭＰが各前側帯状部３ｂ、３ｄと擦れるのを抑制でき、これにより、運動時の履き心地を向上できる。
【００５０】
また、前記実施例では、インソール１の足甲部３の内甲側、外甲側にそれぞれ開孔３２、３３を一つずつ形成することにより、足甲部３が、内甲側においては、前側帯状部３ｂおよび後側帯状部３ｃを介してソール部２に連設されるとともに、外甲側においては、前側帯状部３ｄおよび後側帯状部３ｅを介してソール部２に連設されたものを示したが、これらの開孔は２つ以上設けられていてもよい。
【００５１】
例えば２つの開孔が設けられる場合には、内甲側または（および）外甲側において、前側帯状部と後側帯状部との間に中間帯状部が設けられ、当該中間帯状部を介して足甲部３がソール部に連結されるとともに、開孔３２が内甲側の中間帯状部を介して前後方向に２つの開孔に分割され、開孔３３が外甲側の中間帯状部を介して前後方向に２つの開孔に分割されることになる。
【００５２】
＜第５の変形例＞
前記実施例では、足甲部３が内甲側から外甲側にかけて一体に形成された例を示したが、本発明においては、図２１の展開図に示すように、足甲部３を、内甲側に配設されソール部２に連設された内甲側部３Ａと、外甲側に配設されソール部２に連設された外甲側部３Ｂとに分断して設けるとともに、これら内甲側部３Ａおよび外甲側部３Ｂをソール部２の中央に向かって（つまり足裏当接面２ａの側に）それぞれ矢印方向に折り曲げ、その後、内甲側部３Ａの上側縁部３ａ１および外甲側部３Ｂの上側縁部３ａ２を面ファスナー等を用いて係脱自在に係合するようにしてもよい。この場合、上側縁部３ａ１および３ａ２がいずれも凹状曲線から構成されているので、これらの縁部を上下に重ね合わせると（または各縁部端面を互いに突き合わせると）、完成後の足甲部３の稜線３ａは、図５および図６に示したような、足Ｐの足甲領域の稜線Ｐａにフィットする側面視凹状の曲線となる。
【００５３】
この場合、着用者の足甲の高さや足甲周りの長さに合わせて各上側縁部３ａ１および３ａ２のオーバラップ量を変えることができ、これにより、インソールのフィット性を個々の着用者ごとに調整できるようになり、ユーザーフレンドリーなインソールを実現できる。なお、各上側縁部３ａ１、３ａ２は、接着や縫製等によって互いに固着するようにしてもよい。
【００５４】
＜第６の変形例＞
前記実施例では、ソール部２および足甲部３が樹脂等により一体成形されたものを示したが、ソール部２および足甲部３をそれぞれ別々に成形した後、これらを接着や縫製等により固着して一体に連設するようにしてもよい。また、その際、足甲部３の各帯状部３ｂ、３ｃ、３ｄ、３ｅのいずれか（またはすべて）についてその少なくとも一部の領域を伸縮性材料から構成するようにしてもよい。この場合、足に対するフィット性を一層向上できる。
【産業上の利用可能性】
【００５５】
以上のように、本発明は、スポーツシューズ用インソールに有用であり、とくに、足指の動きを阻害することなくフィット性を向上でき、さらにスポーツシューズのアッパー構造の簡略化を要求されるスポーツシューズに適している。
【符号の説明】
【００５６】
１：  インソール
２：  ソール部
３：  足甲部
３Ａ：  内甲側部
３Ｂ：  外甲側部
４：  スポーツシューズ
４０：  アッパー
Ｆ：  前足領域
Ｍ：  中足領域
Ｈ：  踵領域
ＮＡ：  舟状骨
ＣＵ：  立方骨
ＰＰ１：  第１足指基節骨
ＰＰ５：  第５足指基節骨
【先行技術文献】
【特許文献】
【００５７】
【特許文献１】実用新案登録第３０８４８３３号公報（段落［０００６］、［０００７］、［００１２］および［００１５］、ならびに図１および図３参照）
【図１】
2015188720.tif 000003
【図２】
2015188720.tif 000004
【図３】
2015188720.tif 000005
【図４】
2015188720.tif 000006
【図５】
2015188720.tif 000007
【図６】
2015188720.tif 000008
【図７】
2015188720.tif 000009
【図８】
2015188720.tif 000010
【図９】
2015188720.tif 000011
【図１０】
2015188720.tif 000012
【図１１】
2015188720.tif 000013
【図１２】
2015188720.tif 000014
【図１３】
2015188720.tif 000015
【図１４】
2015188720.tif 000016
【図１５】
2015188720.tif 000017
【図１６】
2015188720.tif 000018
【図１７】
2015188720.tif 000019
【図１８】
2015188720.tif 000020
【図１９】
2015188720.tif 000021
【図２０】
2015188720.tif 000022
【図２１】
2015188720.tif 000023